(57)【要約】【課題】呼吸回路用コネクタの開口部が患者の衣服などに貼りついた場合でも、人工呼吸器の低圧モニタで、呼吸回路内の圧力の低下を感知することで、事後の患者の医療事故を未然に防ぐことができる呼吸回路用コネクタを提供すること。【解決手段】筒部（２）の下端部に通気用の溝部（７）を形成した呼吸回路用コネクタ（１）。通気用の溝部（７）を形成した別部品を筒部（２）の下端部に装着し、反発弾性を有しかつ硬質又は半硬質材料よりなる筒部（２）の上部に当該筒部（２）の中心方向へ向けて延びる係合部（５）を突設した。【選択図】図６
0003126386.tif 000002
【実用新案登録請求の範囲】
【請求項１】
筒部（２）の下端部に通気用の溝部（７）を形成したことを特徴とする呼吸回路用コネクタ（１）。
【請求項２】
内筒部（３２）の略中央部から略下部の外周に隙間（３８）をあけて外筒部（３３）を形成し、
前記内筒部（３２）及び前記外筒部（３３）の下端部に通気用の溝部（３７、３７Ａ）を形成したことを特徴とする呼吸回路用コネクタ（３１）。
【請求項３】
通気用の溝部（７、３７、３７Ａ）を形成した別部品を筒部（２）及び内筒部（３２）及び／又は外筒部（３３）の下端部に装着したこと特徴とする請求項１または請求項２に記載の呼吸回路用コネクタ（１、３１）。
【請求項４】
反発弾性を有しかつ硬質又は半硬質材料よりなる筒部（２）及び内筒部（３２）の上部に当該筒部（２）及び内筒部（３２）の中心方向へ向けて延びる係合部（５、３５）を突設した請求項１から請求項３のいずれか１項に記載の呼吸回路用コネクタ（１、３１）。
【請求項５】
請求項１から請求項４のいずれか１項に記載の筒部（２）及び内筒部（３２）の下部に通気管接続アダプタ（８）を装着し、
前記通気管接続アダプタ（８）は、上方に筒状のコネクタ接続部（９）を形成し、略中腹部に鍔部（１０）を突設し、下方に前記コネクタ接続部（９）の内腔と連通する筒状の通気管接続部（１２）を形成し、
筒部（２）及び内筒部（３２）の内周壁と、前記通気管接続アダプタ（８）のコネクタ接続部（９）の外周壁が嵌合した際に、
前記筒部（２）の孔（６）または内筒部（３２）の内孔（３６）は、前記コネクタ接続部（９）の外周壁で塞がれる、請求項１から請求項４のいずれか１項に記載の呼吸回路用コネクタ（１、３１）。
【請求項６】
請求項１から請求項５のいずれか１項に記載の筒部（２）及び内筒部（３２）の上部に分岐管（１４）を装着し、当該分岐管（１４）の側部にラインチューブ接続管（１８）を形成し、当該分岐管（１４）の下部に、上部突起部（１６）と下部突起部（１７）を形成し、これらの間に、前記筒部（２）及び内筒部（３２）の係合部（５、３５）と係合する係合溝（１５）を形成した、請求項１から請求項５のいずれか１項に記載の呼吸回路用コネクタ（１、３１）。
【考案の詳細な説明】
【技術分野】
【０００１】
本考案は、人工呼吸器に接続されるラインチューブと患者の気管に挿入される通気管の間に配置して使用される呼吸回路用コネクタ（以下、単に「コネクタ」という場合がある）の改良に関するものである。
【背景技術】
【０００２】
患者の呼吸機能が停止又は低下した場合に、人工呼吸器により患者の換気を代行又は補助している。人工呼吸器中に、コネクタの筒部と通気管接続アダプタの脱抜に起因する医療事故に対応するため、人工呼吸器には、低換気量モニタ（呼吸回路内を流れる空気の量を監視）、あるいは低圧モニタ（呼吸回路内圧を監視）が備えられている。コネクタの筒部と通気管接続アダプタの脱抜時には、前者においては換気量の変化に捉えて警報を出し、後者においては圧力の低下を捉えて警報を出すようにしている。
【０００３】
しかし、コネクタの筒部と通気管接続アダプタの脱抜時には、筒部の開口部が患者の衣服などで塞がれてしまう自体が起こりうる。このとき、患者の衣服などを通して換気する際に必要な人工呼吸器のポンプの負荷は、患者の肺に接続している場合の負荷と差がなく、人工呼吸器の低換気量アラーム、あるいは低圧アラームともに正常に機能しないことがある。このような事態をもし迎えれば、患者は重篤な事態に陥るという医療事故が起きる。
【０００４】
なお特許文献１には、人工呼吸器と患者を繋ぐラインチューブに使用するコネクタとして、患者の管内に挿入するカニューレ２（本考案の通気管接続アダプタ８と通気管１３に相当）とコネクタ３（本考案の呼吸回路用コネクタ１と分岐管１４に相当）を接続し、前記コネクタ接続口５に人工呼吸器と接続しているラインチューブを接続している。
また特許文献２には、結合要素１０ｃ（本考案の筒部２と分岐管１４に相当）に管状ダクト１０（本考案の通気管接続アダプタ８の一部分に相当）が付属しているコネクタが開示されている。
特許文献１、２でも、コネクタ３または管状ダクト１０の脱抜時にコネクタ３または管状ダクト１０の開口部が、患者の衣服などで塞がれてしまうことが起こり、前記［０００３］と同様の問題が起こる。
【特許文献１】特開２００２−１７７３７８号公報（図１、図２参照）
【特許文献２】特表２００５−５１０２８２号公報（図１、図２参照）
【考案の開示】
【考案が解決しようとする課題】
【０００５】
本考案が解決しようとする問題点は、人工呼吸器の使用中に、コネクタの筒部と通気管接続アダプタとコネクタが脱抜し、筒部の開口部を患者の衣服等が貼り付いた場合、既存の警報システムが正常に機能しない点である。
【課題を解決するための手段】
【０００６】
そこで本考案者は、以上の課題を解決するために鋭意検討を重ねた結果、以下の考案に到達した。
［１］本考案は、筒部（２）の下端部に通気用の溝部（７）を形成した呼吸回路用コネクタ（１）を提供する。
［２］本考案は、内筒部（３２）の略中央部から略下部の外周に隙間（３８）をあけて外筒部（３３）を形成し、
前記内筒部（３２）及び前記外筒部（３３）の下端部に通気用の溝部（３７、３７Ａ）を形成した呼吸回路用コネクタ（３１）を提供する。
［３］本考案は、通気用の溝部（７、３７、３７Ａ）を形成した別部品を筒部（２）及び内筒部（３２）及び／又は外筒部（３３）の下端部に装着した［１］または［２］に記載の呼吸回路用コネクタ（１、３１）を提供する。
［４］本考案は、反発弾性を有しかつ硬質又は半硬質材料よりなる筒部（２）及び内筒部（３２）の上部に当該筒部（２）及び内筒部（３２）の中心方向へ向けて延びる係合部（５、３５）を突設した［１］から［３］のいずれか１項に記載の呼吸回路用コネクタ（１、３１）を提供する。
［５］本考案は、［１］から［４］のいずれか１項に記載の筒部（２）及び内筒部（３２）の下部に通気管接続アダプタ（８）を装着し、
前記通気管接続アダプタ（８）は、上方に筒状のコネクタ接続部（９）を形成し、略中腹部に鍔部（１０）を突設し、下方に前記コネクタ接続部（９）の内腔と連通する筒状の通気管接続部（１２）を形成し、
筒部（２）及び内筒部（３２）の内周壁と、前記通気管接続アダプタ（８）のコネクタ接続部（９）の外周壁が嵌合した際に、
前記筒部（２）の孔（６）または内筒部（３２）の内孔（３６）は、前記コネクタ接続部（９）の外周壁で塞がれる、［１］から［４］のいずれか１項に記載の呼吸回路用コネクタ（１、３１）を提供する。
［６］本考案は、［１］から［５］のいずれか１項に記載の筒部（２）及び内筒部（３２）の上部に分岐管（１４）を装着し、当該分岐管（１４）の側部にラインチューブ接続管（１８）を形成し、当該分岐管（１４）の下部に、上部突起部（１６）と下部突起部（１７）を形成し、これらの間に、前記筒部（２）及び内筒部（３２）の係合部（５、３５）と係合する係合溝（１５）を形成した、［１］から［５］のいずれか１項に記載の呼吸回路用コネクタ（１、３１）を提供する。
【考案の効果】
【０００７】
本考案の呼吸回路用コネクタ１、３１は筒部２及び内筒部３２と外筒部３３の下端部に通気用の溝部７、３７、３７Ａを形成し、または、当該通気用の溝部７、３７、３７Ａを形成した別部品を筒部２及び内筒部３２及び／又は外筒部３３の下端部（その外周及び／又は内周）に装着しているため、呼吸回路用コネクタ１、３１から通気管接続アダプタ８が脱抜し、呼吸回路用コネクタ１、３１の開口部が患者２０の衣服などに貼りついた場合でも、呼吸回路用コネクタ１、３１の溝部７、３７、３７Ａから空気が外部に漏れる。このため人工呼吸器の低圧モニタで、呼吸回路内の圧力の低下を感知できるので、事後の患者の医療事故を未然に防ぐことができる。
【考案を実施するための最良の形態】
【０００８】
図１は本考案の呼吸回路用コネクタ１の筒部２と通気管接続アダプタ８の正面図、図２は図１の筒部２と通気管接続アダプタ８を接続した状態の正面図、図３は図１の筒部２の正面図、図４（ａ）は筒部２のその他の実施例１を示す正面図、図４（ｂ）は筒部２のその他の実施例２を示す正面図、（ｃ）その他の実施例３を示す正面図、（ｄ）その他の実施例４を示す正面図、図５は図１のＸ−Ｘ断面図、図６は図２の筒部２に分岐管１４を接続した状態の断面図、図７は本考案の呼吸回路用コネクタ３１の内筒部３２・外筒部３３と通気管接続アダプタ８の正面図、図８は図７の内筒部３２・外筒部３３と通気管接続アダプタ８を接続した状態の正面図、図９は図７のＹ−Ｙ断面図、図１０は本考案の呼吸回路用コネクタ１（３１）の使用状態図；（ａ）筒部２（内筒部３２）と通気管接続アダプタ８が正常に接続されている状態、（ｂ）筒部２（内筒部３２）と通気管接続アダプタ８が脱抜した状態である。
【０００９】
［呼吸回路用コネクタ１、３１］
呼吸回路用コネクタ１は、図１と図２に例示するように筒部２の下端部に、筒部２の内腔が外部と連通できる溝部７を形成している。
突部６及び／又は溝部７を形成しているため平滑でない。呼吸回路用コネクタ３１は、図７から図９に例示するように、内筒部３２の略中央部から略下部の外周に隙間３８をあけて外筒部３３を形成しており、内筒部３２及び外筒部３３の下端部に、それぞれ溝部３７、３７Ａを形成し、内筒部３２の内腔が溝部３７、隙間３８及び溝部３７Ａを介して外部と連通できるようにしている。
筒部２及び内筒部３２は反発弾性を有しかつ硬質又は半硬質材料よりなり、上部に筒内へ向けて延びる係合部５、３５を突設している。
また図４に例示するように筒部２（内筒部３２）の略上部から略中央部の外周に凸部４Ａ（３４Ａ）と凹部４Ｂ（３４Ｂ）を形成した環状のリブ４（３４）を形成しても良い。リブ４（３４）は、呼吸回路用コネクタ１（３１）と通気管接続アダプタ８（３８）を着脱する際に滑り止めとなり、着脱をよりスムーズにする。
【００１０】
［筒部２及び内筒部３２と外筒部３３の通気用溝部７、３７、３７Ａ］
筒部２及び内筒部３２と外筒部３３の下端部には、図１から図８に例示するように通気用溝部７、３７、３７Ａを形成している。当該通気用の溝部７、３７、３７Ａ）を形成することで、図３に例示するように筒部２及び内筒部３２と外筒部３３（図示しない）の下端部が患者２０の衣服２１等に貼りついた場合でも溝部７、３７、３７Ａから空気が抜ける。通気用の溝部７、３７、３７Ａは、図３に例示するように曲線状の突部６と共に曲線状に形成してもよいし、図４（ａ）に例示するように直線状の突部６と共に直線状に形成してもよい。また、図４（ｂ）に例示するように下端部に凸状の突部６を形成して外周が溝部７となるように形成してもよいし、図４（ｃ）に例示するように凹状の溝部７を形成してもよいし、図４（ｄ）に例示するように、通気用の溝部７を別部品として突部６と共に筒部２の下端部（その外周及び／又は内周）に装着してもよいし、図３、図４（ａ）、図４（ｂ）、図４（ｃ）の実施例１から３の組み合わせでもよい。尚、図７、図８の突部３６、３６Ａ及び／又は溝部３７、３７Ａも図３と図４（ａ）、図４（ｂ）、図４（ｃ）、図４（ｄ）の実施例１から４を適用することができる。
以上のように筒部２及び内筒部３２と外筒部３３の下端部に形成した通気用の溝部７、３７、３７Ａは、筒部２、内筒部３２の内腔が患者２０の衣服２１等に貼りついた場合でも、溝部７、３７、３７Ａから空気が抜けるものであれば形状・大きさは何でも良い。
【００１１】
［通気管接続アダプタ８］
呼吸回路用コネクタ１（３１）は、筒部２（内筒部３２）の下部に、図１に例示するように通気管接続アダプタ８を装着している。
通気管接続アダプタ８は、上方に筒状のコネクタ接続部９を形成し、略中央に鍔部１０を突設し、下方にコネクタ接続部９の内腔と連通する筒状の通気管接続部１２を形成している。呼吸回路用コネクタ１（３１）の筒部２（内筒部３２）の内周壁と通気管接続アダプタ８のコネクタ接続部９の外周壁が嵌合する。呼吸回路用コネクタ１（３１）と通気管接続アダプタ８は、通気管接続アダプタ８の鍔部１０を手で掴み、押したり引いたりすることでよりスムーズに着脱することができる。呼吸回路用コネクタ１（３１）と通気管接続アダプタ８が嵌合しているときは、筒部２の下端部は、コネクタ接続部９の外周壁で塞がれている。
［分岐管１４］
呼吸回路用コネクタ１（３１）の上部は、図６に例示するように、分岐管１４に接続される。
分岐管１４の側部にラインチューブ接続管１８を形成し、分岐管１４の下部に、上部突起部１６と下部突起部１７を形成し、これらの間に、前記筒部２及び内筒部３２の係合部５、３５と係合する係合溝１５を形成している。
筒部２の係合部５（内筒部３２の係合部３５も同じ）は、図６に例示するように分岐管１４の下部の外周壁に形成された環状の下部突起１７を乗り越え、下部突起１７より径の大きい環状の上部突起１６を乗り越えることなく、前記上部突起１６と前記下部突起１７の間に形成された係合溝１５に係合する。このとき、呼吸回路用コネクタ１（３１）と分岐管１４は係合部５（３５）が係合溝１５に沿って、自在に回動するので、通気管接続アダプタ８に接続した通気管１３のねじれを防止するこができる。
【００１２】
［操作方法の一例］
呼吸回路用コネクタ１（３１）の下部に通気管接続アダプタ８を装着し、筒部２（内筒部３２）の上部に分岐管１４を装着する。
図１０（ａ）に例示するように、人工呼吸器（図示せず）に接続されたラインチューブ１９に、分岐管１４の接続管１８を接続し、通気管１３に通気管接続アダプタ８を接続して、呼吸回路を組み立てる。
人工呼吸器から、空気を、ラインチューブ１９、分岐管１４、筒部２（内筒部３２）、通気管接続アダプタ８を経て通気管１３内に導入する。このとき、呼吸回路用コネクタ１（３１）の筒部２（内筒部３２）の通気用の溝部７は、通気管接続アダプタ８のコネクタ接続部９の外周壁で塞がれているため、呼吸回路内の空気は外部に漏れない。
他方図１０（ｂ）に例示するように、筒部２（内筒部３２）から通気管接続アダプタ８が脱抜して、筒部２（内筒部３２）の開口部に、患者２０の衣服等が貼りついた場合でも、呼吸回路［ラインチューブ１９、分岐管１４、筒部２（内筒部３２）］内の空気が、筒部２（内筒部３２、外筒部３３）の下端部の溝７（３７、３７Ａ）から外部に漏れる。このため人工呼吸器の低圧モニタが呼吸回路［ラインチューブ１９、分岐管１４、筒部２（内筒部３２）］内の圧力を感知して、警報等で知らせることができる。
【図面の簡単な説明】
【００１３】
【図１】本考案の呼吸回路用コネクタ１の筒部２と通気管接続アダプタ８の正面図
【図２】図１の筒部２と通気管接続アダプタ８を接続した状態の正面図
【図３】図１の筒部２の正面図
【図４】（ａ）筒部２のその他の実施例１を示す正面図、（ｂ）筒部２のその他の実施例２を示す正面図、（ｃ）その他の実施例３を示す正面図、（ｄ）その他の実施例４を示す正面図
【図５】図１のＸ−Ｘ断面図
【図６】図２の筒部２に分岐管１４を接続した状態の断面図
【図７】本考案の呼吸回路用コネクタ３１の内筒部３２・外筒部３３と通気管接続アダプタ８の正面図
【図８】図７の内筒部３２・外筒部３３と通気管接続アダプタ８を接続した状態の正面図
【図９】図７のＹ−Ｙ断面図
【図１０】本考案の呼吸回路用コネクタ１（３１）の使用状態図；（ａ）筒部２（内筒部３２）と通気管接続アダプタ８が正常に接続されている状態、（ｂ）筒部２（内筒部３２）と通気管接続アダプタ８が脱抜した状態
【符号の説明】
【００１４】
１、３１  呼吸回路用コネクタ
２  筒部
４、３４  リブ
４Ａ、３４Ａ  突部
４Ｂ、３４Ｂ  溝部
５、３５  係合部
６  突部
７  通気用の溝部
８  通気管接続アダプタ
９  コネクタ接続部
１０  鍔部
１２  通気管接続部
１３  通気管
１４  分岐管
１５  係合溝
１６  上部突起
１７  下部突起
１８  ラインチューブ接続管
１９  ラインチューブ
２０  患者
２１  衣服
３２  内筒部
３３  外筒部
３６  突部（内筒部）
３６Ａ  突部（外筒部）
３７  通気用の溝部（内筒部）
３７Ａ  通気用の溝部（外筒部）
３８  隙間
【図１】
0003126386.tif 000003
【図２】
0003126386.tif 000004
【図３】
0003126386.tif 000005
【図４】
0003126386.tif 000006
【図５】
0003126386.tif 000007
【図６】
0003126386.tif 000008
【図７】
0003126386.tif 000009
【図８】
0003126386.tif 000010
【図９】
0003126386.tif 000011
【図１０】
0003126386.tif 000012